(57)【要約】【解決手段】多段カラムは、一連のプレートを有している。各プレートは、粒状固体床を支持している。各プレートには、前記流体を分配するためのネットワークが備えられている。前記ネットワークは、ランク１〜Ｎの複数の分岐段階を有する実質的に水平なライン（６，７，１０）によって構成されている。ランクＰ〜Ｎのラインの集合体は、当該プレートのベース面に付随させられている。分岐の最終段階Ｎのラインは、前記プレートのベース面のすぐ下に配置された混合室（８）と連通させられている。【選択図】図７
2011518665.tif 000002
【特許請求の範囲】
【請求項１】
流体を多段カラムに供給する分配装置であって、前記多段カラムは、一連のプレートを有しており、前記各プレートは、粒状固体床を支持しかつ前記流体を分配するためのネットワークを備えており、前記ネットワークは、ランク１〜Ｎの複数の分岐段階を有する実質的に水平なライン（６，７，１０）によって構成されており、ランクＰ〜Ｎのラインの集合体は、当該プレートのベース面に付随させられており、換言するならば、ネットワークの１つのラインの下端がすぐ下流のプレートのベース面から離れている距離をＨとすると、Ｈは、ゼロから当該ライン径の１／４までであり、Ｐは、１〜Ｎ間のいずれかの値であり、分岐最終段Ｎのラインが、前記ベース面のすぐ下に配置された混合室（８）と連通させられている分配装置。
【請求項２】
請求項１に記載の分配装置であつて、
ランク１〜Ｎの分配ネットワークを構成するライン（６，７，１０）の全てが、当該プレートのベース面に付随させられている分配装置。
【請求項３】
請求項１または２に記載の分配装置であって、
プレートは、実質的に同一長さの経線パネル形状のＭ個の部分に分割されており、各部分には、分配ネットワークのランクＮの少なくとも１つのターミナルがある分配装置。
【請求項４】
請求項１または２に記載の分配装置であって、
プレートは、扇形にほぼ等しいＭ個の部分に分割されており、各部分には、分配ネットワークのランクＮの少なくとも１つのターミナルがある分配装置。
【請求項５】
請求項１〜４のいずれか１つに記載の分配装置であって、
ランクＰ〜Ｎの分配ネットワークのライン（６，７，１０）の少なくとも一部に、前記ライン下方のスペースを塞ぐための充填物（９）が備えられている分配装置。
【請求項６】
請求項１〜４のいずれか１つに記載の分配装置であって、
ランク１〜Ｎの分配ネットワークのライン（６，７，１０）の全てに、前記ライン下方のスペースを塞ぐための充填物（９）が備えられている分配装置。
【請求項７】
請求項１〜６のいずれか１つに記載の分配装置の使用方法であって、
疑似移動床分離方法において、分離されるべき供給原料が、７〜９個の炭素原子を含有する芳香族化合物のあらゆる混合物である使用方法。
【請求項８】
請求項１〜６のいずれか１つに記載の分配装置の使用方法であって、
疑似移動床分離方法において、分離されるべき供給原料が、ノルマルパラフィンおよびイソパラフィンの混合物である使用方法。
【請求項９】
請求項１〜６のいずれか１つに記載の分配装置を使用する疑似移動床分離方法であって、分離されるべき供給原料が、ノルマルオレフィンおよびイソオレフィンの混合物である方法。
【請求項１０】
請求項１〜６のいずれか１つに記載の分配装置を使用する疑似移動床分離方法であって、
前記分配装置を通過する主流体が、６００〜９５０ｋｇ／ｍ３の範囲の密度および０．１〜０．６ｃＰｏの範囲の粘度を有する方法。
【請求項１１】
請求項１〜６のいずれか１つに記載の分配装置の使用する疑似移動床分離方法であって、
カラムの床のあらゆる地点における軸方向分散係数が、３×１０−３ｃｍ２／ｓ未満である方法。
【発明の詳細な説明】
【技術分野】
【０００１】
本発明は、粒状媒体と称される固体粒子媒体中の流体の流れを利用する多段カラムにおいて、前記流体の分配および収集を行うための新規な装置に関する。
【０００２】
多段カラムは、実質的に垂直な軸に沿って配置された多数のプレートによって構成されるカラムである。各プレート（支持プレートと称される）は、粒状固体床を支持している。種々の連続的な床を、カラムにおいて用いられる流体が順次に通過させられる。連続的な床中を通過する流体は、主流体と称され、他の流体と区別される。他の流体は、一般的には、２つの連続的床の間に位置しかつ分配プレートと称されるプレートによって、主流体に加えられる。
【０００３】
各床の粒状固体は、一般的に、前記床の上流に位置する分配プレートを介して供給される。
【０００４】
本発明は、分配プレートに関する。
【０００５】
本明細書において、略語「プレート」が使われている場合、これは、分配プレートを意味する。
【０００６】
分配プレートは、典型的に、分配ネットワークと称される、流体を供給あるいは収集するためのネットワークと、分配ネットワークを介して、注入または注出された流体を主流体と混合するための１つ以上の混合室とを含む。
【０００７】
本発明の装置は、複数の分配プレートから構成されている。その分配ネットワークは、少なくとも部分的に粒状媒体と接触している。
【０００８】
本発明は、本質的に、分配プレートの分配ネットワークを、カラム中のランクＰ＋１の粒状床に供給するために、ランクＰの粒状床を支持する支持プレートに限りなく近く位置決めするように構成するものである。支持プレートに限りなく近接させて位置決めすることが意味するところは、当該分配プレートの分配ネットワークを構成するライン下方のデッドスペースが最小限に抑えられることである。
【０００９】
本発明は、また、周辺粒状媒体の分配プレートと接触するラインを分離する充填物を分配ネットワークに追加する可能性に関する。
【００１０】
本発明は、粒子の固体床内部が栓流に近づき、これにより、疑似移動床（SMB）方式の吸着のように、このタイプのカラムにおいて行われる種々の方法の性能を最適化できることを意味する。
【背景技術】
【００１１】
分配装置は、多段式の反応器または分離カラムにおいて用いられかつ複数の機能を有している。この機能には、例えば、前記反応器または分離カラム中のあらゆる段階における流体の注入または注出が含まれる。
【００１２】
一般に、この注入または注出機能は、カラム部分の種々の領域間においてバランスがとれる方法で実施されるのが望ましい。
【００１３】
カラム部分は、一般に、ある定められた数の部分に分割される。各部分は、他の部分に対して均質な方法で洗われなければならない。
【００１４】
これには、特定の外形を有する分配器の使用が必要となり、これにより、各部分が等しい表面積を有する場合、分配器は各部分に到達し各部分上にほぼ等しい流れを供給（または除去）する。もし個々の部分が異なる表面積を有する場合、注入または注出される流れは、関連する部分（同士）の表面積とほぼ比例する。関連するカラムが大きな寸法を有する場合（例えば、直径５〜１５メートル）、より大きく、またはより小さく分岐されるラインを用いるネットワークが、しばしば用いられ、流体をカラム外部から多段式カラムの種々のプレートへと導き、その後、あるプレートから前記プレートの個々の部分へと導く。
【００１５】
プレートは、また、カラム中の主流とネットワークによって注入される流れを混合して、下流のプレートに均質な濃度を有する流体を供給する機能を有する。
【００１６】
クロマトグラフィー型またはＳＭＢ型の多段式カラム吸着分離方法に関し、特許文献１〜４において、カラム中の異なる高さのプレートに供給する分配ネットワークの構成が例示されている。
【００１７】
分配ネットワークは、相当かさ高く、定常的につかわれるものであり、カラムの総スペースを最小化するために、粒状固体（触媒または吸収剤）の床中に位置されている。
【００１８】
分配プレート中にネットワークを一体化する代替物が用いられてもよいが、そのような代替物は、よりスペースの大きいプレートを使用する必要がある。カラムの総スペースは、分配ネットワークが、プレートの外部にありかつネットワークにより提供されたベッドの上方または下方の粒状固体に埋め込まれている場合より、更に大きくなる。
【００１９】
分配ネットワークのタイプ、ラインの寸法およびそれらの位置の選択は、種々の基準を満たさなければならない。
【００２０】
・分配プレート全体にわたってバランスのとれた分配プレートを提供する。
【００２１】
・プレートの種々のゾーンにおいて流体を同期させる方法で導く、すなわち、ネットワークにおける滞留時間の分散を最小化する。
【００２２】
・可及的に低減した体積のネットワークを用いて、活性固体のスペースを最大化させる。
【００２３】
・流体速度を十分低減したネットワークを用いて、ネットワークとプレートに損傷を与え得る振動のリスクを避ける。
【００２４】
種々の基準を満たすために、寸法の大きいネットワークが用いられることがあり、粒状媒体自体の中にネットワークを配置することにより、カラム中の流れがかき乱される可能性がある。これは、特に、栓流が望まれる粒状固体を用いる方法における場合である。
【００２５】
用語「栓」流は、速度の方向および大きさが可級的に均質である流れを意味し、これにより、当該装置における軸方向分散が最小化される。この目的が１またはそれ以上の多段式カラムを用いる疑似移動床（ＳＭＢ）分離方法において達成されることが、特に重要である。
【先行技術文献】
【特許文献】
【００２６】
【特許文献１】国際公開第２００６／０２７１１８号
【特許文献２】米国特許出願公開第２００６／０１０８２７４号明細書
【特許文献３】欧州特許第００７４８１５号明細書
【特許文献４】仏国特許発明第２７９２６４５号明細書
【発明の概要】
【発明が解決しようとする課題】
【００２７】
本発明により解決すべき課題は、多段カラムと称される、粒状固体のベッドを支持している多数のプレートを備えたカラム内の流体の流れを改善することである。
【００２８】
本明細書において、「流れを改善する」とは、流れが理想的に栓流に近づくこと、すなわち、カラムの種々の連続床を通過する流体の軸方向分散が可能な限り小さくなることを意味する。
【課題を解決するための手段】
【００２９】
カラムは、一般的に、粒状媒体を構成し、そして、種々のプレート間を移動する流体は下降流の液体である。
【００３０】
本発明は、カラムに供給する流体を分配するためのネットワークの集合体からなる。各分配ネットワークは、前記カラムの各プレートにそれぞれ割り当てられかつ実質的に水平なライン６によって構成される。前記ラインは、ランク１〜Ｎの複数の分岐段階を有している。ランクＰ〜Ｎ（Ｐは１〜Ｎの範囲で選択される）のラインの集合体は、当該プレートのベース面に付随している。分岐の最終段階Ｎのラインが、前記ベース面の直ぐ下方に配置された混合室８と連通している。
【００３１】
より正確には、直ぐ下流の分配プレートのベース面からネットワークの１つのラインの下端が離れた距離がＨである場合、Ｈは、０〜当該ラインの直径の１／４の範囲であれば、当該ラインは分配プレートに付随していると言える。
【００３２】
分配器ネットワークが複数の分岐段階を有する一般的な場合において、これら種々の段階は１と示される第１のラインから出発し、Ｎと示される最終の分岐段階のラインへと移動する。
【００３３】
このように、本発明は、ある分岐ランクＰから最終の分岐ランクＮまでのラインの少なくとも一部が分配プレートに付随していることにある。
【００３４】
好ましくは、ランク１〜Ｎのネットワークを構成するラインがすべて分配プレートに付随している。
【００３５】
この場合、ネットワークは完全に付随していると言える。
【００３６】
好ましい変形例において、本発明は、また、充填物を使用することにある。前記充填物は、ネットワークを構成しかつ周辺粒状媒体から前記ラインを分離するラインの少なくとも１部の下方に配置されている。これにより、粒状媒体中の前記ラインの存在に起因する軸方向分散を最小化することができる。
【００３７】
本発明はまた、本発明の装置を使用する疑似移動床分離方法において、分離されるべき供給原料は、７〜９個の炭素原子を含有する芳香族化合物のあらゆる混合物であることにある。
【００３８】
本発明はまた、本発明の装置を使用する疑似移動床分離方法において、分離されるべき供給原料は、ノルマルパラフィンおよびイソパラフィンの混合物であることにある。
【００３９】
最後に、本発明は、本発明の装置を使用する疑似移動床分離方法において、分離されるべき供給原料は、ノルマルオレフィンおよびイソオレフィンの混合物であることにある。
【００４０】
より一般的に、本発明の流体分配装置は、あらゆる方法において用いられる。当該方法では、１つ以上の多段カラムが用いられる。多段カラムは、カラムを構成する、各プレートまたは複数のプレートの一部のみにおいて流体分配システムを必要とし、特に、疑似移動床分離方法に用いられる。
【００４１】
好ましくは、前記装置を通過する主流体は、６００〜９５０ｋｇ／ｍ３の範囲の密度および０．１〜０．６ｃＰｏの範囲の粘度を有する。略語ｃＰｏは、センチポアズ（センチポイズ）、すなわち１０−３ｋｇ／ｍ．ｓ．を表す。
【００４２】
本発明の方法の用途に関連する流体では、本発明の装置は、カラムの床のあらゆる地点において３×１０−３ｃｍ２／ｓ未満となる軸方向分散係数をもたらせる。
【図面の簡単な説明】
【００４３】
【図１】先行技術に合致し、流体の流れは下降流である多段カラムの一部の線図である。
【図２】先行技術に合致し、「レーキ」型分配ネットワークの説明図である。
【図３】先行技術に合致し、「蛸」型分配ネットワークの説明図である。
【図４】本発明に合致し、連続する多段副分割または分岐を有するネットワークの説明図である。
【図５ａ】先行技術に合致し、粒状固体床中の分配ネットワークの詳細図である。
【図５ｂ】先行技術に合致し、図５aのＡ-Ａ線に沿う部分に相当する部分を示し、ネットワークおよびその下方プレート間の距離がゼロではない場合を示す断面図である。
【図５ｃ】本発明に合致し、図５ａのＡ-Ａ線に沿う部分に相当する部分を示し、ネットワークが分配プレートに付随している場合を示す断面図である。
【図５ｄ】本発明に合致し、図５ａのＡ-Ａ線に沿う部分に相当する部分を示し、ネットワークが分配プレートに付随しかつネットワークのラインと前記プレートとの間のデッドスペースを排除する充填物を備えた場合を示す断面図である。
【図６ａ】本発明に合致し、本発明の種々の実施形態を示す説明図である。
【図６ｂ】本発明に合致し、図６ａとは別の本発明の実施形態を示す説明図である。
【図６ｃ】本発明に合致し、図６ａとはさらなる別の本発明の実施形態を示す説明図である。
【図７】本発明に合致し、本発明に合致するネットワークを用いる多段カラムの一部の線図である。
【図８ａ】本発明に合致し、本発明により低減可能なデッドスペース減少の現象を示すコンピュータシミュレーションによる説明図である。
【図８ｂ】本発明に合致し、本発明によって生じさせられた軸方向分散の低減を表したグラフである。この場合において、基本形態（ラインはプレートに密着）または好ましい形態（ラインを補足的充填物に密着）であり、幅１ｍおよび高さ１ｍの固定床中、ラインの直径が０．３５ｍである二次元構造である。
【発明を実施するための形態】
【００４４】
本発明は、複数の床に分割された粒状媒体を通過する流体を用いる方法において使用される。複数の床を含む容器は、一般的に円柱形状であり、よってカラムを構成する。しかし、円柱形状は必須ではなく、他の形状をとることも可能である。本明細書において、前記カラムの外形にかかわらず用語「カラム」が用いられる。
【００４５】
したがって、本発明は、連続的に配置された複数の床を有するカラムに適用可能である。そのようなカラムは、多段式と称される。粒状固体床は、分配プレートによって分離される。この分配プレートは、床中の種々の流体の注入または注出をして、流体を注入する場合、前記流体をカラムの外部からプレートへと運び、流体を注出する場合、プレートからカラムの外部へと前記流体を運ぶことを必要とする。
【００４６】
種々の流体を注入または注出するためのラインが、各分配プレートにおいてネットワークを形成する。
【００４７】
一般に、分配プレートは、そのすぐ上流および下流の粒状固体床間に介在させられている。
【００４８】
本発明が適用されるのは、上述したように、使用されるラインのネットワークの少なくとも一部が粒状固体床中のすぐ上流にある場合である。つまり、段階Ｐの床を提供する分配プレートの少なくとも一部は、段階Ｐ−１の床の粒状媒体中にある。
【００４９】
図１は、先行技術であって、カラム１の一部を図式的に示す。カラム１は、多数の床２へと更に分割されている。各床２は、固体粒子の固定床によって構成されている。カラムは、下向きの黒矢印によって示された主下降流によって洗われる。
【００５０】
床２は、分配プレートによって分離されている。分配プレートの機能は、上方の床からの主流および混和可能な流体の流れの注出または注入を可能にすることである。
【００５１】
分配プレートは、一般的に、直ぐ上方の床を離れる流体を収集するパネル５へと更に分割される。プレートは、プレートの上流の床から注出される流体とプレートに注入される流体との混合機能を促進させるために、パネルへと分割される。各パネル５は、上方の床を支持する上方スクリーン４または穿孔プレートと、パネル底部に、前記プレート下流の粒子床を提供するための流体分配器３とを備えている。
【００５２】
この分配器３は、スクリーンまたは穿孔プレートによって構成されてもよい。各パネル５は、１カ所以上の注入点を有する供給ネットワークに接続されている。注入ネットワーク６は、注入室８を提供している。注入室は、パネル自体に配置されかつ流体の注入および注出がパネル自体の中で実施されるような開口を備えている。
【００５３】
図１からわかるように、先行技術によると、注入室８は、概ね、パネル５の内部に配置されている。場合によっては、注入室の一部は、注入室８を上方スクリーン４上に配置することによって、床の粒状媒体内に入り込むことがある。
【００５４】
パネルの形状は、概ね、下方のベッドに分配される前に、上方の床からの主流体およびネットワークによって注入された流体間で良好に混合されるように設計されている。流体の混合および分散の質は、パネルの分割方法およびパネル数に部分的に依存する。
【００５５】
プレートをパネルに分割する方法は、多くのバリエーションがある。
【００５６】
分配プレートは、分散／収集ネットワークに接続されている。このネットワークは、少なくとも１つの主ライン６および副ライン７を含む種々のラインから構成されている。
【００５７】
より高度の分岐に対応するために、例えば、３または４の他のラインも可能であるが、簡潔にするために、本明細書では、主ライン６および副ライン７を含むネットワークに限定する。
【００５８】
先行技術によると、主ライン６は、概ね、支持スクリーン４に対して、ゼロでない距離Ｈのところに位置させられており、一方、副ライン７は、少なくとも１つの下向きの実質的垂直部分を有し、水平ライン６を分配プレートのパネル５に接続している。
【００５９】
図２は、上方から見た、「レーキ」型ネットワークラインの一例である。
【００６０】
パネル５が、プレートを互いに略同一幅の平行部分に分割している。
【００６１】
副ライン７は全て、パネル５の長さ（または、大きい方の寸法）に相当する実質的に同一方向に配列されている。
【００６２】
主ライン６は、副ライン７に、主ライン６に沿って分配されかつ各セクターを画定する異なる点で接続されている。副ライン７の端部は、注入室８を提供している。この注入室は、パネル５の長さの大部分をカバーしている。
【００６３】
図３は、先行技術の他の例であって、「蛸」型と称されるラインのネットワークを、上から見たものである。
【００６４】
パネル５は、ここでは、扇形部に相当する。
【００６５】
図３に示すように、主ライン６は、このように、流体を外部からカラムの中心へ導き、その後、流体を種々の副ライン７に分配する。これらの副ライン７は、図３に見られるように、円形状分配室を介して、種々の扇形部分によってカラム放射状に広がっている。
【００６６】
図４は、いくつかの連続する副分割を用いた、ラインネットワークの他の例である。主ライン６は、それ自身が他の副カラムへを提供している２つのラインに分割されており、これにより、３段階のネットワークを形成している。図２と比較して、このネットワークは、ライン９に相当する３段階の分岐段階を有している。各ライン９は、２つの連続するパネル５を提供している。
【００６７】
これら種々のネットワーク構成が図解されているが、本発明は、いかなるタイプのネットワークにも適用可能である。好ましくは、本発明は、図４に示すような、複数の分岐段階を有するネットワークに適用可能である。
【００６８】
図５ａは、ネットワークの詳細図であって、水平な副ライン７ｈの一部に相当する。この副ライン７ｈは、プレートに密着しておらず、肘部分を通じて、プレートに接続された他の垂直部分７ｖへと続いている。副ラインの水平部分７ｈが分配プレート４から離れたゼロでない距離は、Hで表される。
【００６９】
図５ｂは、図５A中のA-Aに沿う断面である。
【００７０】
図５ｃは、図５A中のA-Aに沿う断面である。この場合、副ネットワークのラインが関連するプレートに密着している。本発明によると、距離Hは、ライン７ｈの直径の１／４に等しい。
【００７１】
図５ｄは、本発明よるA-Aに沿う断面であって、ネットワークの副ラインが分配プレート４に密着しており、本発明の好ましい変形例によれば、副ラインは、充填物によって粒状床から分離されている。これは、流体が副ラインの下方に移動しないことを意味する。つまり、副ラインはネットワークのライン下に位置するスペースを塞いでいる。
【００７２】
図６は、本発明のいくつかの実施例を示す。本発明の普遍の目的は、ネットワークおよびそれに関連するプレート間に含まれるスペースを最小化することである。
【００７３】
図６ａにおいて、ライン７ｈの両側のスペースを塞ぐことが可能な２つの充填物が用いられている。
【００７４】
図６ｂにおいて、ライン７ｈの上に載せられた１つのＵ字型充填物が使用される。
【００７５】
図６ｃにおいて、平坦な底面を有する形状のラインからなるネットワークが使用されている。
【００７６】
図７は、カラム１の一部を図式的に示すものである。同部分は、複数の粒状床２に副分割されている。各粒状床は、固体粒子の固定床を含んでいる。
【００７７】
図７の好ましい変形例では、本発明は、主ライン６と副ライン７がプレートに密着している、すなわち、距離Ｈがゼロである場合に適用される。
【００７８】
より一般的には、ネットワークが１からＮまでのいくつかの分岐段階を含む場合、本発明は、分岐部分の一部が関連する床を支持するプレートと密着すること、また、好ましくは、全ての分岐部分が関連するプレートと密着することを確実にすることからなる。
【００７９】
いくつかのケースにおいて、上記条件を達成するのが非常に困難である場合、密着状態は、例えば、ＰからＮの分岐段階にのみ限定され、１からＰ−１迄の分岐段階は、プレート上方のゼロでない距離Ｈに配置される。本発明のネットワークによれば、分岐部分の最終段階がプレートに密着していればよい。
【実施例】
【００８０】
本発明の重要性は、図８ａに示された二次元的構造において行われた一連の流体力学的計算でもって実証された。図８ａは、分配プレートの底面に対するラインの種々の高さを示す。種々のグレー表示されたゾーンは、粒状床を通過する流体の再循環のレベルに相当する。特に、上記ゾーン下の黒色のゾーンは、デッドゾーン、すなわち最大の再循環を有するゾーンに相当する。
【００８１】
しかしながら、可及的に栓流に近い流れ、すなわち、再循環のない流れが求められる。
【００８２】
研究されている構成は、高さ１ｍ、幅１ｍの寸法と、第三の寸法、つまり、高さおよび幅より遙かに大きい長さとを有している粒状床からなるものであった。
【００８３】
粒状床を構成する粒子は、球状の無孔粒子であって、直径が０．６ｍｍであり、間質内間隙率が３２％であった。
【００８４】
直径０．２５ｍ、長さ３ｍのラインが粒子の床に埋め込まれた。
【００８５】
ラインの一番低い地点（下端）から床の底（あるいは下方プレート）迄の距離（Ｈ）は、０〜０．６５ｍであった。
【００８６】
ラインが下方プレートに密着していた場合（Ｈ＝０）、ライン下に、図５ｄに相当する充填物９が存在する。
【００８７】
周囲温度での水の流れが粒状床を下向きに通過することにおいて、シミュレーションされた。液体の速度プロファイルは、床の入口では平坦であった。
【００８８】
流れは「Brinkman-Forchheimer」模型（モデル）と表示される多孔媒体流れ模型に従ってシミュレーションされた。この模型の詳細は、例えば、F Benyahia, “On the modeling of flow in packed bed systems”, Part Sci Tech 22 (2004), 367-378の記載に見ることができる。
【００８９】
種々の試験構成の結果、得られた軸方向分散は、軸方向分散係数Ｄａｘcm2/sによって測定された。
【００９０】
下方プレートからラインが離れている距離、つまり高さ（Ｈ）の機能としてのＤａｘの変化は、図８ｂに示されている。
【００９１】
図８ｂから非常に明らかであるのは、軸方向分散係数Ｄａｘは、ラインがプレートに接近し、約３×１０―３〜２×１０―３ｃｍ２／ｓの値を通過するにつれて減少することである。
【００９２】
高さＨは、ラインの下端に対して計測された。
【００９３】
図８ｂ中、白で示された２つのポイントは、本発明に相当する。図８ｂ中、黒で示された他のポイントは、先行技術に相当する。
【００９４】
下方プレートのところでラインをフラットすることにより、軸方向分散係数Ｄａｘは最小値である２×１０―３ｃｍ２／ｓに達した。
【００９５】
更に、ラインを粒状媒体から分離しかつライン下方のデッドスペースを更に減少させるために、ライン側方に充填物を置くことにより、軸方向分散は更に減少し２×１０―３ｃｍ２／ｓから１．２×１０―３ｃｍ２／ｓまで減少した。
【産業上の利用可能性】
【００９６】
この発明による分配装置は、粒状媒体と称される固体粒子媒体中の流体の流れを利用する多段カラムにおいて、前記流体の分配および収集を行うことを達成するのに適している。
【符号の説明】
【００９７】
１  カラム
２  床
６，７，１０  ライン
８  混合室（注入室）
９  充填物
【図１】
2011518665.tif 000003
【図２】
2011518665.tif 000004
【図３】
2011518665.tif 000005
【図４】
2011518665.tif 000006
【図５ａ】
2011518665.tif 000007
【図５ｂ】
2011518665.tif 000008
【図５ｃ】
2011518665.tif 000009
【図５ｄ】
2011518665.tif 000010
【図６ａ】
2011518665.tif 000011
【図６ｂ】
2011518665.tif 000012
【図６ｃ】
2011518665.tif 000013
【図７】
2011518665.tif 000014
【図８ａ】
2011518665.tif 000015
【図８ｂ】
2011518665.tif 000016
【国際調査報告】
2011518665.tif 000017
2011518665.tif 000018
2011518665.tif 000019
2011518665.tif 000020